【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
周囲のある断面域を有する管またはトラックにおいて使用するためのクリーニング・ビュレット（１０、１１０、２１０、３１０）であって、前記ビュレットは、
前端（２２）および後端（２４、２２４）を有する圧縮性の本体（１２、１１２、２１２）であって、前記本体は前記前端と前記後端の間に延在する軸（２６）を画定する本体と、
前記前端に覆い掛けられかつ前記本体に対して固定されるシート（１４、２１４）であって、前記圧縮性の本体が前記シートを前記管またはトラックの内壁に対して付勢するシートとを備え、
前記クリーニング・ビュレットの一部分は、前記本体が前記管またはトラック内部にあるときに前記管またはトラックの周辺外側に延在するように位置付けられるクリーニング・ビュレット。
【請求項２】
前記本体に対し前記前端(２２)の前方に着脱自在に固定されるノーズ(１６、１１６、２１６)を含み、前記シート(１４、２１４)は前記ノーズと前記本体の間に置かれる請求項１に記載のクリーニング・ビュレット。
【請求項３】
前記軸に対し半径方向に延在して、前記トラックに形成された溝に係合する第１の整合キー(６４、１６４、３６４)を含む請求項１に記載のクリーニング・ビュレット。
【請求項４】
前記軸に対し半径方向に延在して、前記トラックに形成された溝に係合する第２の整合キー(１８０)を含み、前記本体は前記第１および第２整合キーの間に置かれる請求項３に記載のクリーニング・ビュレット。
【請求項５】
前記本体は、吸収性材料から形成される請求項１に記載のクリーニング・ビュレット。
【請求項６】
前記本体によって吸収されて、前記管またはトラックの前記内壁を掃拭するための流体を含む請求項５に記載のクリーニング・ビュレット。
【請求項７】
前記本体に対して固定されたカウンタウェイト(７８、１７８)を含む請求項１に記載のクリーニング・ビュレット。
【請求項８】
前記カウンタウェイトは、前記クリーニング・ビュレットに着脱自在に固定されたボトル（７８、１７８）である請求項７に記載のクリーニング・ビュレット。
【請求項９】
前記クリーニング・ビュレットを推進する圧縮空気を捕らえるエア・トラップ(３７８)を含む請求項１に記載のクリーニング・ビュレット。
【請求項１０】
管またはトラックにおいて使用するためのクリーニング・ビュレット（１０、１１０、２１０、３１０）であって、前記ビュレットは、
前端（２２）および後端（２４、２２４）を有する圧縮性の本体（１２、１１２、２１２）であって、前記本体は前記前端と前記後端の間に延在する軸（２６）を画定する本体と、
受け（５８）を有する、前記本体に対し前記前端の前方に着脱自在に固定されるノーズ（１６、１１６、２１６）とを備え、
前記クリーニング・ビュレットの一部分は、前記本体が前記管またはトラック内部にあるときに前記管またはトラックの周辺外側に延在するように位置付けられるクリーニング・ビュレット。
【請求項１１】
前記前端に覆い掛けられかつ前記本体に対して固定されるシート（１４、２１４）が前記ノーズと前記本体の間に置かれる請求項１０に記載のクリーニング・ビュレット。
【請求項１２】
前記軸に対し半径方向に延在して、前記トラックに形成された溝に係合する第１の整合キー（６４、１６４、３６４）を含む請求項１０に記載のクリーニング・ビュレット。
【請求項１３】
前記軸に対し半径方向に延在して、前記トラックに形成された溝に係合する第２の整合キー（１８０）を含み、前記本体は前記第１および第２整合キーの間に置かれる請求項１２に記載のクリーニング・ビュレット。
【請求項１４】
前記本体は、吸収性材料から形成される請求項１０に記載のクリーニング・ビュレット。
【請求項１５】
前記本体によって吸収されて、前記管またはトラックの前記内壁を掃拭するための流体を含む請求項１０に記載のクリーニング・ビュレット。
【請求項１６】
前記ノーズに対して固定されたカウンタウェイト（７８，１７８）を含む請求項１０に記載のクリーニング・ビュレット。
【請求項１７】
前記カウンタウェイトは、前記クリーニング・ビュレットに着脱自在に固定されたボトル（７８、１７８）である請求項１６に記載のクリーニング・ビュレット。
【請求項１８】
前記クリーニング・ビュレットを推進する圧縮空気を捕らえるエア・トラップ（３７８）を含む請求項１０に記載のクリーニング・ビュレット。
【請求項１９】
管またはトラックにおいて使用するためのクリーニング・ビュレット（１０、１１０、２１０、３１０）であって、前記ビュレットは、
前端（２２）および後端（２４、２２４）を有する圧縮性吸収性本体（１２、１１２、２１２）であって、前記本体は前記前端と前記後端の間に延在する軸（２６）を画定する本体と、
前記本体によって吸収されて、前記管またはトラックの内壁を掃拭するための流体とを含み、
前記クリーニング・ビュレットの一部分は、前記本体が前記管またはトラック内部にあるときに前記管またはトラックの周辺外側に延在するように位置付けられるクリーニング・ビュレット。
【請求項２０】
前記本体に対し前記前端の前方に着脱自在に固定されるノーズ（１６、１１６、２１６）を含む請求項１９に記載のクリーニング・ビュレット。
【請求項２１】
前記軸に対し半径方向に延在して、前記トラックに係合する整合キー（６４、１６４、３６４）を含む請求項１９に記載のクリーニング・ビュレット。
【請求項２２】
前記軸に対し半径方向に延在して、前記トラックに形成された溝に係合する第２の整合キー(１８０)を含み、前記本体は前記第１および第２整合キーの間に置かれる請求項２１に記載のクリーニング・ビュレット。
【請求項２３】
前記前端に覆い掛けられかつ前記本体に対して固定されるシート（１４、２１４）であって、前記圧縮性の本体が前記シートを前記管またはトラックの内壁に対して付勢するシートとを含む請求項１９に記載のクリーニング・ビュレット。
【請求項２４】
前記ノーズに対して固定されたカウンタウェイト（７８、１７８）を含む請求項１９に記載のクリーニング・ビュレット。
【請求項２５】
前記カウンタウェイトは、前記クリーニング・ビュレットに着脱自在に固定されたボトル（７８、１７８）である請求項２４に記載のクリーニング・ビュレット。
【請求項２６】
前記クリーニング・ビュレットを推進する圧縮空気を捕らえるエア・トラップ(３７８)を含む請求項１９に記載のクリーニング・ビュレット。
【請求項２７】
管またはトラックの内壁を清浄する方法であって、前記方法は、
シート（１４、２１４）をクリーニング・ビュレットの本体（１２、１１２、２１２）に覆い掛けることと、
前記クリーニング・ビュレットを前記管またはトラック内に挿入することと、
前記クリーニング・ビュレットの一部分を、前記クリーニング・ビュレットが前記管またはトラック内部にあるときに前記管またはトラックの周辺外側に延在するように位置付けすることと、
前記クリーニング・ビュレットを前記管またはトラックを介して付勢することとを包含する方法。
【請求項２８】
前記本体は圧縮性であり、かつ前記方法は前記本体を圧縮して前記クリーニング・ビュレットを前記管またはトラック内に挿入することを含む請求項２７に記載の方法。
【請求項２９】
前記シートを前記本体に対して着脱自在に固定すること(３８、３６)を含む請求項２７に記載の方法。
【請求項３０】
前記本体は流体により飽和され、かつ前記クリーニング・ビュレットが前記管またはトラックを介して付勢される際に、前記流体は前記管またはトラックの内壁を掃拭する請求項２７に記載の方法。
【請求項３１】
前記クリーニング・ビュレットを前記管またはトラックを介して付勢することは、圧縮空気を前記クリーニング・ビュレットおよび該ビュレットに取り付けられた物体の少なくとも一方に向けることによって前記クリーニング・ビュレットを前記管またはトラックを介して推進することを含む請求項２７に記載の方法。
【請求項３２】
前記圧縮空気は、前記クリーニング・ビュレットに固定されたエア・トラップ(３７８)に向けられて前記クリーニング・ビュレットを前記管またはトラックを介して推進する請求項３１に記載の方法。
【請求項３３】
前記クリーニング・ビュレットを前記管またはトラック内に挿入することは、前記クリーニング・ビュレットから延在する整合キー（６４、１６４、３６４）を前記管またはトラックに形成された溝に係合させることを含む請求項２７に記載の方法。
【請求項３４】
カウンタウェイト（７８、１７８）を前記本体に対して固定することを含む請求項２７に記載の方法。
【手続補正２】
【補正対象書類名】明細書
【補正対象項目名】０００９
【補正方法】変更
【補正の内容】
【０００９】
本体１２は、シート１４を管またはトラック内壁に対して付勢する圧縮性材料から形成される。好ましい実施形態においては、本体１２は、接触時に管またはトラック内壁を清浄する、あるいはさらに消毒する水又は清浄用流体を含む溶液等の流体により飽和可能な発泡ポリウレタン等、吸収性スポンジ状材料から、成形、熱成形等により形成される。圧縮性の本体１２は、様々な断面および径を有する管またはトラックで同じビュレットを使用可能とする長所を有する。